(57)【要約】【課題】  バッテリーを垂直方向又は水平方向のいずれからでも受け入れることのできるバッテリーコネクタを提供する。【解決手段】  バッテリーコネクタは、絶縁ハウジング及び複数の電気端子を含む。絶縁ハウジングは、底壁、前壁、後壁、底壁に配置された複数の垂直壁、及び各対の垂直壁間に形成された複数の端子受け入れスロットを有する。電気端子は、端子受け入れスロットに受け入れられ、本体、導電性部分、弾力性アーム及びコンタクト部分を有する。導電性部分は、本体の第１側部から延び、弾力性アームは、本体の第２側部から上方に延び、そしてコンタクト部分は、弾力性アームの一端に接続され、その他端は、本体に接続される。電気端子は、端子受け入れスロット内で方向付けされ、導電性部分は、底壁の下に露出されてそこから下方に延び、そして接点を含むコンタクト部分は、後壁から離れる方向に前壁から外方に配置される。【選択図】      図４
2004152754.tif 000002
【特許請求の範囲】
【請求項１】
底壁、前壁、後壁、及び上記底壁から上方に延びる複数の垂直壁を有し、各対の垂直壁間に複数の端子受け入れスロットが形成された絶縁ハウジングと、
上記端子受け入れスロットに各々受け入れられた複数の電気端子とを備え、各電気端子は、本体、導電性部分、弾力性アーム及びコンタクト部分を有し、上記本体は、第１側部及び該第１側部とは反対の第２側部を有し、上記導電性部分は、上記第１側部から延び、上記弾力性アームは、その一端が上記第２側部から上方にまっすぐに接続され、上記コンタクト部分は、上記弾力性アームの他端に接続され、上記電気端子は、それに対応する端子受け入れスロットにおいて方向付けされ、上記導電性部分は、上記底壁の下に配置されてそこから露出され、そして上記コンタクト部分は、上記後壁から離れる方向に上記前壁から外側に配置された接点を含むように構成されたバッテリー用コネクタ。
【請求項２】
上記端子受け入れスロットの各々は、互いに対向すると共に上記底壁に隣接した左右の垂直壁と、上記底壁から所定の距離だけ離間された２つのクランプブロックとを有し、該クランプブロック及び上記底壁は、クランプスロットを画成し、各電気端子の上記本体は、上記クランプスロットに配置され、更に、各電気端子の上記本体は、上記クランプブロックでの抑圧と、上記クランプスロットとの干渉とにより、上記端子受け入れスロット各々において方向付けされる請求項１に記載のバッテリー用コネクタ。
【請求項３】
上記底壁は、互いに隣接する上記垂直壁に各々対応して上記底壁の下に一体的に下方に延びる複数の仕切りと、これら仕切りの２つの間に形成された制限スロットとを有し、上記導電性部分は、該制限スロットに配置されて、上記仕切りにより左右の変位が制限される請求項１に記載のバッテリー用コネクタ。
【請求項４】
上記導電性部分は、下方に傾斜する第１部分と、該第１部分から一体的に延び且つ上方に傾斜する第２部分とを有する請求項１に記載のバッテリー用コネクタ。
【請求項５】
上記コンタクト部分は、第１アーム及び第２アームを有し、該第１アームは、上記弾力性アームの端から下方に一体的に延び、次いで、横方向に一体的に延びて上記第２アームを形成する請求項１に記載のバッテリー用コネクタ。
【発明の詳細な説明】
【技術分野】
【０００１】
本発明は、バッテリー用コネクタに係る。より詳細には、本発明は、垂直方向又は水平方向のいずれからでもバッテリーを受け入れることのできるバッテリーコネクタに係る。
【背景技術】
【０００２】
セルラー電話のような電子装置は、通常、その電子装置とバッテリーとの間に電気的接続を与えるためにバッテリーコネクタを使用している。
図１、図２及び図３を参照すれば、２００２年１月２８日出願のＴＷ特許出願第９１２００８２８号は、絶縁ハウジング１及び複数の電気端子２を含む縦型のバッテリー用コネクタを開示しており、絶縁ハウジング１は、縦型のハウジングで、底壁１１と、前壁１２と、底壁１１の面から上方に延びて平行に配列された複数の垂直壁１３とを備えている。互いに隣接する壁である垂直壁１３の対は、それらの間にスペースを画成し、このスペースは、受け入れスロット１４を形成する。前壁１２は、受け入れスロット１４に連通して受け入れスロット１４を前面から後面へ貫通させる開口１２１を有する。受け入れスロット１４は、それを形成する２つの垂直壁１３に各々作られた２つの対向面１４１、１４２を有する。この２つの対向面１４１、１４２には、絶縁ハウジング１の底面１４３に隣接し且つそこから離間されて２つのブロック１４４が外部に延びており、これら２つのブロックは、対向するが、互いに接触はせず、そして２つのブロック１４４と底面１４３とによってクランプスロット１４５が画成される。
【０００３】
更に、絶縁ハウジング１の底壁１１から下方に複数の仕切り１１１が延び、各仕切りは、各垂直壁１３に対して１部片で一体的に作られて、１つの仕切り１１１とそれに隣接する仕切り１１１との間に制限スロット１１２を形成する。最も外側の２つの垂直壁１３は、外方に２つのクランプブロック１３１を露出させ、これは、バッテリーコネクタの組み立て中に電子装置のケーシングを正しく方向付けする。
【０００４】
電気端子２は、複数の受け入れスロット１４に各々受け入れられる。各電気端子２は、縦型の端子で、本体２１と、導電性部分２２と、弾力性アーム２３と、コンタクト部分２４とを有する。本体２１は、長方形のシートが横方向に配置されたもので、第１側部２１１と、該第１側部２１１とは逆の第２側部２１２とを有する。導電性部分２２は、最初下方に傾斜し、その後、第２側部２１２に向って上方に延びて、フックの形状となり、即ち、導電性部分２２は、下方に傾斜する第１部分２２１と、該第１部分２２１から一体的に延びて上方に傾斜する第２部分２２２とを有し、第１部分２２１は第２部分２２２と合流してプリント回路板３の接点を押圧する。
【０００５】
本体２１の第２側部２１２は、上方に延びて、１部片で一体的に作られた精密な弾力性アーム２３を形成し、この弾力性アーム２３は、その一端が第２側部２１２に接続され、そしてその他端が、横から見てＶ字型のコンタクト部分２４に一体的に接続される。このコンタクト部分２４は、本体２１の第１側部２１１を向くように開いており、そしてコンタクト部分２４は、第１アーム２４１及び第２アーム２４２を有する。この第１アーム２４１は、弾力性アーム２３の一端から外方に延び、その他端は、第２側部２１２に接続され、１部片で一体的に作られる。第１アーム２４１は、Ｖ字型に曲げられ、その一端は、上方に一体的に延びて、第２アーム２４２となり、該第２アームの自由端は、クランプ部分２５となる。
【０００６】
組み立ての際に、各電気端子２の本体２１は、受け入れスロット１４に対して絶縁ハウジング１へその後方から挿入され、電気端子２は、クランプスロット１４５に配置され、前方に徐々に移動されて、前壁１２の上縁１２２に当たるようにされ、組み立てプロセスが実行される。組み立て後に、各電気端子２の本体２１がクランプスロット１４５の２つのブロック１４４でクランプされ、本体２１に配置されたラッチ部材（図示せず）が各クランプスロット１４５の壁をクランプし、従って、本体２１は、各クランプスロット１４５において方向付けされ、電気端子２をそれに対応する受け入れスロット１４へしっかり固定する。導電性部分２２は、絶縁ハウジング１の底壁１１から下に露出され、バッテリー用コネクタが電子装置に組み立てられた後に導電性部分２２をプリント回路板３に電気的に接続することができる。更に、導電性部分２２は、各制限スロット１１２内に配置され、仕切り１１１により左右の移動が制限され、導電性部分２２のシフトによるプリント回路板３への不完全な接触が更に効率的に防止される。
【０００７】
各電気端子２のコンタクト部分２４は、各受け入れスロットから絶縁ハウジング１の前壁１２に対して保持されるように延びる。バッテリーコネクタがバッテリー４に電気的に接続される間に、バッテリー４は、バッテリーコネクタの前方から電気端子２に整列され、そして後方へ移動されて、バッテリーの対応端子がコンタクト部分２４に対して保持され、弾力性アーム２３を受け入れスロット１４の前方から後方へ押しやるようにする。弾力性アーム２３は、その回復弾性抵抗によりコンタクト部分２４をバッテリーの対応端子にぴったり接触させるように前方に押しやり、従って、バッテリーコネクタがバッテリー４に電気的に接続される。
【発明の開示】
【発明が解決しようとする課題】
【０００８】
しかしながら、バッテリーコネクタは、バッテリー４を電気端子２に対して前方から順方向に（矢印Ａで示すように）接続するように設計されている。図３を参照すれば、バッテリー４が矢印Ｂで示すように上下方向に電気端子２に接続される場合には、バッテリーコネクタは、バッテリー４をしっかり接続することができず、電気端子２は、コンタクト部分２４が下方にシフトする間に容易に変形され、ダメージを受けることになる。
従って、上述したバッテリーコネクタは、バッテリー４を上下方向に接続するときに明らかに欠点があり、改善の余地がある。
【課題を解決するための手段】
【０００９】
本発明の主たる目的は、バッテリーを確実に接続できると共に、コンタクト部分が下方にシフトされることで電気端子が変形されてダメージを受けることがなく、しかも、バッテリーを上下方向にコンタクト部分に接続できるようなバッテリーコネクタを提供することである。
本発明の別の目的は、バッテリーを垂直方向又は水平方向のいずれからでも受け入れることのできるバッテリーコネクタを提供することである。
【００１０】
本発明によるバッテリーコネクタは、絶縁ハウジング及び複数の電気端子を備えている。絶縁ハウジングは、底壁、前壁、後壁、底壁から上方に延びる複数の垂直壁、及び各対の垂直壁間に形成された複数の端子受け入れスロットを備えている。電気端子は、端子受け入れスロットに各々受け入れられ、そして各電気端子は、本体、導電性部分、弾力性アーム及びコンタクト部分を有する。導電性部分は、本体の第１側部から延び、弾力性アームは、本体の第２側部から上方に延び、そしてコンタクト部分は、弾力性アームの一端に接続され、その他端は、本体に接続される。電気端子は、端子受け入れスロット内で方向付けされ、導電性部分は、底壁の下に露出されてそこから下方に延び、そして接点を含むコンタクト部分は、後壁から離れる方向に前壁から外方に延びる。
【発明を実施するための最良の形態】
【００１１】
以下、添付図面を参照して、本発明の好適な実施形態を詳細に説明する。
図４及び図５を参照すれば、本発明は、セルラー電話のバッテリーを接続するためにセルラー電話のプリント回路板に組み立てられるバッテリーコネクタを提供する。このバッテリーコネクタは、絶縁ハウジング５及び複数の電気端子６を備え、絶縁ハウジング５は、縦型ハウジングであって、底壁５１と、前壁５２と、後壁５５と、底壁５１に配置された複数の垂直壁５３（図６及び７も参照されたい）と、これら垂直壁５３の各対間に形成された複数の端子受け入れスロット５４とを有し、前壁５２は、端子受け入れスロット５４に連通する複数の開口５２１を有する。垂直壁５３の各対は、それらの間に端子受け入れスロット５４が形成され、２つの対向面５４１、５４２が互いに対向して底面５４３に隣接しており、２つの対向面５４１、５４２は、底面５４３に対して所定の距離だけ離間され、更に、２つのブロック５４４が内方に露出され、これらは、互いに接触せず、底面５４３とでクランプスロット５４５を形成する。
【００１２】
更に、絶縁ハウジング５の底壁５１は、垂直壁５３に対応して一体的に下方に延びる複数の仕切り５１１と、互いに隣接する２つの仕切り５１１間に形成された制限スロット５１２とを有する。最も外側の２つの垂直壁５３は、クランプブロック５３１を外側に露出しており、これは、バッテリーコネクタを電子装置に組み立てる間に電子装置のハウジングを方向付けするためのものである。
【００１３】
電気端子６の各々は、対応する端子受け入れスロット５４に各々受け入れられる。電気端子６の各々は、縦型端子であって、本体６１と、導電性部分６２と、弾力性部分６３と、コンタクト部分６４とを有し（図８及び９も参照されたい）、本体６１は、長方形シートを横方向に配置したもので、第１側部６１１、及び該第１側部６１１とは逆の第２側部６１２を有する。導電性部分６２は、第１側部６１１から最初下方に傾斜し次いで上方に傾斜してフック状に延びる延長部により形成される。導電性部分６２は、下方に傾斜する第１部分６２１と、該第１部分６２１から一体的に延びて上方に傾斜する第２部分６２２とを有し、これら第１部分６２１及び第２部分６２２は、プリント回路板７（図１０）の接続点を押圧するように交差している。
【００１４】
弾力性アーム６３は、本体６１の第２側部６１２から一体的に垂直方向上方に延び、更に、弾力性アーム６３は、第２側部６１２の一端に一体的に接続されたＶ字型コンタクト部分６４を有し、このコンタクト部分６４は、第１アーム６４１及び第２アーム６４２を有し、この第１アーム６４１は、弾力性アーム６３の一端から最初に一体的に下方に延び、次いで、ほぼ「Ｖ」字型に鋭く曲げられて、一体的に横方向に延び、第２アーム６４２を形成する。第１アーム６４１と第２アーム６４２との間、好ましくは、「Ｖ」字型の頂点に、接点６４３が配置される。
【００１５】
組み立てに際し、各電気端子６がそれに対応する端子受け入れスロット５４に挿入される。端子本体６１は、クランプスロット５４５内に配置される。組み立て後、各電気端子６の本体６１は、２つのクランプブロック５４４での抑圧と、本体６１に形成された２つの干渉部材６１３での干渉により、各クランプスロット５４５において方向付けされる。導電性部分６２は、絶縁ハウジング５の底壁５１の下に配置され、底壁５１から露出される。電子装置へ組み立てた後に、導電性部分６２は、ＰＣＢ７に電気的に接続され、更に、導電性部分６２は、仕切り５１１を有する制限スロット５１２内に配置され、導電性部分６２の変位が制限されると共に、導電性部分６２とＰＣＢ７との間の不完全な接触が回避される。
【００１６】
コンタクト部分６４は、前壁５２から及び端子受け入れスロット５４から露出され、バッテリー８は、バッテリーコネクタの前方から電気端子６の位置に整列され、そして後方へと移動されて、その対応端子がコンタクト部分６４に押し付けられ、バッテリーコネクタがバッテリー８に電気的接続される。対応端子は、コンタクト部分６４をその後方へ保持して、弾力性アーム６３が端子受け入れスロット５４において前方から後方へそれるようにし、弾力性アーム６３は、その弾性回復力により接触抵抗を発生して、コンタクト部分６４を前方に対応端子へぴったり移動させ、バッテリーコネクタをバッテリー８に電気的接続する。
【００１７】
上述した本発明の実施形態では、導電性部分６２及び弾力性アーム６３が第１側部６１１及び第２側部６１２から延びて、導電性部分６２が本体６１の下に配置されそしてコンタクト部分６４が本体６１の上に配置され、従って、本発明による重畳及び体積の減少により電気端子６の巾が減少される。
【００１８】
更に、バッテリー８は、電気端子６のコンタクト部分６４に上から下へと電気的接触し、コンタクト部分６４は、その垂直方向の形状により変位を生じることがなく、バッテリー８は、コンタクト部分６４を後方に押しやるように保持し、電気端子に塑性変形やダメージを生じることなくバッテリーコネクタとバッテリー８との間をしっかり接続するという目標を果たす。同様に、バッテリー８は、コネクタに対して前後方向に移動されることで端子のコンタクト部分６４に電気的に接触することができると同時に、電気端子に塑性変形やダメージを生じることがない。
【００１９】
当業者であれば、上記説明は、本発明の特定の実施形態を単に例示するものに過ぎないことが明らかであろう。従って、本発明は、特許請求の範囲から逸脱せずに、種々の変更や修正がなされ得ることが明らかであろう。
【図面の簡単な説明】
【００２０】
【図１】公知のバッテリーコネクタの斜視図である。
【図２】公知のバッテリーコネクタを別の角度から見た斜視図である。
【図３】ＰＣＢに接続された公知のバッテリーコネクタの断面図である。
【図４】本発明のバッテリーコネクタの斜視図である。
【図５】本発明のバッテリーコネクタを別の角度から見た斜視図である。
【図６】絶縁ハウジングの斜視図である。
【図７】絶縁ハウジングを別の角度から見た斜視図である。
【図８】電気端子の斜視図である。
【図９】電気端子を別の角度から見た斜視図である。
【図１０】ＰＣＢに接続された本発明のバッテリーコネクタの断面図である。
【符号の説明】
【００２１】
５：絶縁ハウジング
６：電気端子
８：バッテリー
５１：底壁
５２：前壁
５３：垂直壁
５４：端子受け入れスロット
５５：後壁
６１：本体
６２：導電性部分
６３：弾力性部分
６４：コンタクト部分
５１１：仕切り
５１２：制限スロット
５２１：開口
５３１：クランプブロック
５４１、５４２：対向面
５４３：底面
５４４：ブロック
５４５：クランプスロット
６１１：第１側部
６１２：第２側部
６２１：第１部分
６２２：第２部分
６４１：第１アーム
６４２：第２アーム
６４３：接点
【図１】
2004152754.tif 000003
【図２】
2004152754.tif 000004
【図３】
2004152754.tif 000005
【図４】
2004152754.tif 000006
【図５】
2004152754.tif 000007
【図６】
2004152754.tif 000008
【図７】
2004152754.tif 000009
【図８】
2004152754.tif 000010
【図９】
2004152754.tif 000011
【図１０】
2004152754.tif 000012
【外国語明細書】
2004152754.tif 000013
2004152754.tif 000014
2004152754.tif 000015
2004152754.tif 000016
2004152754.tif 000017
2004152754.tif 000018
2004152754.tif 000019
2004152754.tif 000020
2004152754.tif 000021
2004152754.tif 000022
2004152754.tif 000023
2004152754.tif 000024
2004152754.tif 000025
2004152754.tif 000026
2004152754.tif 000027
2004152754.tif 000028
2004152754.tif 000029
2004152754.tif 000030
2004152754.tif 000031
2004152754.tif 000032
2004152754.tif 000033